(57)【要約】【課題】  簡単な構成にも拘わらず、薄葉紙における液体吸収度合の相違を視覚的な比較でもって容易に確認することができる薄葉紙吸収性試験器具を提供する。【解決手段】  薄葉紙吸収性試験器具１０であって、水平面に対する傾斜面内に配置され、薄葉紙１１Ａ、１１Ｂが広げられて載置される載置台１２Ａ、１２Ｂと、前記載置台１２Ａ、１２Ｂの下端辺に設けられ、液体を溜める側壁１２Ａｄ、１２Ｂｄと、を備え、前記傾斜面は水平面に対して１°以上８９°以下の角度に設定され、前記薄葉紙１１Ａ、１１Ｂの上端側に液体を滴下する。【選択図】図１
2015155800.tif 000002
【特許請求の範囲】
【請求項１】
薄葉紙吸収性試験器具であって、
水平面に対する傾斜面内に配置され、薄葉紙が広げられて載置される載置台と、
前記載置台の下端辺に設けられ、液体を溜める側壁と、
を備え、
前記傾斜面は水平面に対して１°以上８９°以下の角度に設定され、前記薄葉紙の上端側に液体を滴下することを特徴とする薄葉紙吸収性試験器具。
【請求項２】
さらに、
前記載置台の上端辺に沿って回転可能に配置される回転軸と、
前記回転軸に取付けられ、液体を注入し得る容器と、
を備え、
前記回転軸の回転によって、前記容器に注入される液体が、前記載置台に滴下される得ることを特徴とする請求項１に記載の薄葉紙吸収性試験器具。
【請求項３】
前記載置台が第１載置台と前記第１載置台と隣接して配置される第２載置台を含み、
前記側壁が前記第１載置台に設けられた第１側壁と前記第２載置台に設けられた第２側壁を含み、
前記回転軸が前記第１載置台に配置される第１回転軸と前記第２載置台に配置され前記第１回転軸の回転とともに一体に回転する第２回転軸を含み、
前記容器が前記第１回転軸に取付けられた第１容器と前記第２回転軸に取付けられた第２容器を含むことを特徴とする請求項２に記載の薄葉紙吸収性試験器具。
【請求項４】
前記容器が、その開口を横断するように帯状部材が貼付されていることを特徴とする請求項２に記載の薄葉紙吸収性試験器具。
【請求項５】
前記薄葉紙が、それぞれ、少なくとも下端辺において、前記載置台に密着されていることを特徴とする請求項１に記載の薄葉紙吸収性試験器具。
【請求項６】
前記回転軸が、その前記容器からの前記液体の滴下が前記薄葉紙の上端辺の下端辺側の近傍においてなされるように取付けられていることを特徴とする請求項２に記載の薄葉紙吸収性試験器具。
【請求項７】
前記載置台の水平面に対する傾斜角度が９°以上７０°以下の範囲であり、前記液体として水を用いたことを特徴とする請求項６に記載の薄葉紙吸収性試験器具。
【請求項８】
前記載置台の水平面に対する傾斜角度が５°以上７０°以下の範囲であり、前記液体として油を用いたことを特徴とする請求項６に記載の薄葉紙吸収性試験器具。
【請求項９】
前記回転軸が、その前記容器からの前記液体の滴下が薄葉紙の上端辺においてなされるように取付けられていることを特徴とする請求項２に記載の薄葉紙吸収性試験器具。
【請求項１０】
前記載置台の水平面に対する傾斜角度が１０°以上８５°以下の範囲であり、前記液体として水を用いたことを特徴とする請求項９に記載の薄葉紙吸収性試験器具。
【請求項１１】
前記載置台の水平面に対する傾斜角度が１０°以上８５°以下の範囲であり、前記液体として油を用いたことを特徴とする請求項９に記載の薄葉紙吸収性試験器具。
【請求項１２】
前記回転軸と前記回転軸を軸支する支持部との間に、前記容器を液体注入状態と液体滴下状態とをそれぞれ維持できるように、前記各状態における回転軸及び支持部のそれぞれに互いに対向して吸引がなされる磁石が内蔵されていることを特徴とする請求項２に記載の薄葉紙吸収性試験器具。
【請求項１３】
前記回転軸と前記回転軸を軸支する支持部との間に、前記容器が液体滴下状態に移行できるように、液体注入状態における回転軸及び支持部のそれぞれに互いに対向して反発がなされる磁石が内蔵されていることを特徴とする請求項２に記載の薄葉紙吸収性試験器具。
【発明の詳細な説明】
【技術分野】
【０００１】
本発明は、たとえばハンドタオル等の薄葉紙の吸収性を試験する薄葉紙吸収性試験器具に関する。
【背景技術】
【０００２】
ハンドタオル等の薄葉紙において、その液体の吸収性の向上を図ることは、極めて重要となっている（特許文献１、特許文献２参照）。
【０００３】
しかし、薄葉紙の液体の吸収性を測定することは、複雑な装置を必要とし、また、吸収量を定量的に測定するまでもなく、他の薄葉紙の吸収性と比較することによって所望の薄葉紙の吸収性を充分に確認できる場合がある。
【先行技術文献】
【特許文献】
【０００４】
【特許文献１】特開２００７−１９０２９２号公報
【特許文献２】特開２００８−２５５４９６号公報
【発明の概要】
【発明が解決しようとする課題】
【０００５】
本発明は、このような事情に基づいてなされたものであり、その目的は、簡単な構成にも拘わらず、薄葉紙における液体吸収度合の相違を容易な比較でもって確認することができる薄葉紙吸収性試験器具を提供することにある。
【課題を解決するための手段】
【０００６】
本発明は、以下の構成によって把握される。
（１）本発明の薄葉紙吸収性試験器具は、薄葉紙吸収性試験器具であって、水平面に対する傾斜面内に配置され、薄葉紙が広げられて載置される載置台と、前記載置台の下端辺に設けられ、液体を溜める側壁と、を備え、前記傾斜面は水平面に対して１°以上８９°以下の角度に設定され、前記薄葉紙の上端側に液体を滴下することを特徴とする。
（２）本発明の薄葉紙吸収性試験器具は、（１）の構成において、さらに、前記載置台の上端辺に沿って回転可能に配置される回転軸と、前記回転軸に取付けられ、液体を注入し得る容器と、を備え、前記回転軸の回転によって、前記容器に注入される液体が、前記載置台に滴下される得ることを特徴とする。
（３）本発明の薄葉紙吸収性試験器具は、（２）の構成において、前記載置台が第１載置台と前記第１載置台と隣接して配置される第２載置台を含み、前記側壁が前記第１載置台に設けられた第１側壁と前記第２載置台に設けられた第２側壁を含み、前記回転軸が前記第１載置台に配置される第１回転軸と前記第２載置台に配置され前記第１回転軸の回転とともに一体に回転する第２回転軸を含み、前記容器が前記第１回転軸に取付けられた第１容器と前記第２回転軸に取付けられた第２容器を含むことを特徴とする。
（４）本発明の薄葉紙吸収性試験器具は、（２）の構成において、前記容器が、その開口を横断するように帯状部材が貼付されていることを特徴とする。
（５）本発明の薄葉紙吸収性試験器具は、（１）の構成において、前記薄葉紙が、それぞれ、少なくとも下端辺において、前記載置台に密着されていることを特徴とする。
（６）本発明の薄葉紙吸収性試験器具は、（２）の構成において、前記回転軸が、その前記容器からの前記液体の滴下が前記薄葉紙の上端辺の下端辺側の近傍においてなされるように取付けられていることを特徴とする。
（７）本発明の薄葉紙吸収性試験器具は、（６）の構成において、前記載置台の水平面に対する傾斜角度が９°以上７０°以下の範囲であり、前記液体として水を用いたことを特徴とする。
（８）本発明の薄葉紙吸収性試験器具は、（６）の構成において、前記載置台の水平面に対する傾斜角度が５°以上７０°以下の範囲であり、前記液体として油を用いたことを特徴とする。
（９）本発明の薄葉紙吸収性試験器具は、（２）の構成において、前記回転軸が、その前記容器からの前記液体の滴下が薄葉紙の上端辺においてなされるように取付けられていることを特徴とする。
（１０）本発明の薄葉紙吸収性試験器具は、（９）の構成において、前記載置台の水平面に対する傾斜角度が１０°以上８５°以下の範囲であり、前記液体として水を用いたことを特徴とする。
（１１）本発明の薄葉紙吸収性試験器具は、（９）の構成において、前記載置台の水平面に対する傾斜角度が１０°以上８５°以下の範囲であり、前記液体として油を用いたことを特徴とする。
（１２）本発明の薄葉紙吸収性試験器具は、（２）の構成において、前記回転軸と前記回転軸を軸支する支持部との間に、前記容器を液体注入状態と液体滴下状態とをそれぞれ維持できるように、前記各状態における回転軸及び支持部のそれぞれに互いに対向して吸引がなされる磁石が内蔵されていることを特徴とする。
（１３）本発明の薄葉紙吸収性試験器具は、（２）の構成において、前記回転軸と前記回転軸を軸支する支持部との間に、前記容器が液体滴下状態に移行できるように、液体注入状態における回転軸及び支持部のそれぞれに互いに対向して反発がなされる磁石が内蔵されていることを特徴とする。
【発明の効果】
【０００７】
このような薄葉紙吸収性試験器具によれば、簡単な構成にも拘わらず、薄葉紙における液体吸収度合の相違を視覚的な比較でもって容易に確認することができるようになる。
【図面の簡単な説明】
【０００８】
【図１】本発明の薄葉紙吸収性試験器具であって液体注入状態を示す斜視図である。
【図２】本発明の薄葉紙吸収性試験器具であって液体滴下状態を示す斜視図である。
【図３】本発明の薄葉紙吸収性試験器具に備えられる回転軸と容器を示した正面図である。
【図４】本発明の薄葉紙吸収性試験器具に備えられる回転軸と支持部の一例を示した側面図である。
【図５】本発明の薄葉紙吸収性試験器具に備えられる容器を開口側から観た図である。
【図６】（ａ）は、液体の滴下を各薄葉紙の上端辺の下端辺側の近傍においてなされるようにした場合を示す図、（ｂ）は、液体の滴下を各薄葉紙の上端辺においてなされるようにした場合を示す図である。
【図７】本発明の薄葉紙吸収性試験器具の載置台の角度を可変できる構成を示す図である。
【図８】液体の滴下を各薄葉紙の上端辺の下端辺側の近傍においてなされるようにし、液体として水を用いた場合の各薄葉紙の吸収性を示すグラフである。
【図９】液体の滴下を各薄葉紙の上端辺の下端辺側の近傍においてなされるようにし、液体として油を用いた場合の各薄葉紙の吸収性を示すグラフである。
【図１０】液体の滴下を各薄葉紙の上端辺においてなされるようにし、液体として水を用いた場合の各薄葉紙の吸収性を示すグラフである。
【図１１】液体の滴下を各薄葉紙１１の上端辺においてなされるようにし、液体として油を用いた場合の各薄葉紙の吸収性を示すグラフである。
【図１２】本発明の薄葉紙吸収性試験器具に備えられる回転軸と支持部の他の例を示した側面図である。
【図１３】本発明の薄葉紙吸収性試験器具に用いられるメスシリンダを示した斜視図である。
【図１４】本発明の薄葉紙吸収性試験器具の載置台と支持部の着脱構造の一例を示した斜視図である
【発明を実施するための形態】
【０００９】
以下、添付図面を参照して、本発明を実施するための形態（以下、実施形態）について詳細に説明する。なお、実施形態の説明の全体を通して同じ要素には同じ番号を付している。
【００１０】
（実施形態１）
図１は、本発明の薄葉紙吸収性試験器具を示す斜視図である。図１では、薄葉紙として、たとえばハンドタオルを用いるようになっている。
【００１１】
図１に示すように、薄葉紙吸収性試験器具１０は、まず、第１薄葉紙（ハンドタオル）１１Ａを広げて載置する第１載置台１２Ａがある。
【００１２】
第１載置台１２Ａは、水平面に対する角度θ（たとえば９°以上８５°以下）の傾斜面に配置されている。第１載置台１２Ａは、ほぼ平板容器の形状をなし、該傾斜面θと平行の平板状の底面１２Ａｂ、傾斜方向の両脇の一対の側面１２Ａｓ、および該底面１２Ａｂの下端の第１側壁１２Ａｄを有するようになっている。第１薄葉紙１１Ａはその長さ方向を傾斜方向に一致づけて第１載置台１２Ａに載置するようになっているため、該第１載置台１２Ａの底面１２Ａｂも傾斜方向に沿って長くなっている。
【００１３】
また、第１載置台１２Ａと隣接して第２載置台１２Ｂがある。この第２載置台１２Ｂは、たとえば比較用の第２薄葉紙１１Ｂを広げて載置できるようになっている。この第２載置台１２Ｂも、第１載置台１２Ａと同様、水平面に対する同角θの傾斜面内に配置されている。第２載置台１２Ｂも、ほぼ平板容器の形状をなし、該傾斜面と平行の平板状の底面１２Ｂｂ、傾斜方向の両脇の一対の側面１２Ｂｓ、および該底面１２Ｂｂの下端の第２側壁１２Ｂｄを有するようになっている。この場合、第１載置台１２Ａの第２載置台１２Ｂ側の側面１２Ａｓと第２載置台１２Ｂの第１載置台１２Ａ側の側面１２Ｂｓとは共通に形成されている。第２薄葉紙１１Ｂは、第１薄葉紙１１Ａと同様に、その長さ方向を傾斜方向に一致づけて第２載置台１２Ｂに載置するようになっているため、該第２載置台１２Ｂの底面１２Ｂｂも傾斜方向に沿って長くなっている。
【００１４】
第１載置台１２Ａおよび第２載置台１２Ｂの上端側の近傍には該上端辺に沿って回転可能な回転軸１３が配置されている。回転軸１３は、その一端が第１載置台１２Ａの側面に形成された支持部１４Ａに軸支され、他端が第２載置台１２Ｂの側面に形成されて支持部１４Ｂに軸支されている。この回転軸１３は、その各端が支持部１４Ａ、１４Ｂの外側に突出されて形成され、これら各端を回転させることによって回転できるようになっている。なお、この明細書では、前記回転軸１３において、便宜上、第１載置台１２Ａ側を第１回転軸１３Ａと称し、第２載置台１２Ｂ側を第２回転軸１３Ｂと称する。
【００１５】
第１回転軸１３Ａには、第１容器１６Ａが取り付けられ、該第１容器１６Ａは、第１回転軸１３Ａの周方向の定位置において、上方に開口１６Ａｏが位置づけられるようになっている。第１容器１６Ａには、該開口１６Ａｏを通して、たとえば吸水量や薄葉紙内の移動距離がわかりやすいように着色された、着色水が注入できるようになっている。
【００１６】
同様に、第２回転軸１３Ｂにも、第２容器１６Ｂが取り付けられ、該第２容器１６Ｂは、第２回転軸１３Ｂの周方向の定位置において、上方に開口１６Ｂｏが位置付けられるようになっている。第２容器１６Ｂには、該開口１６Ｂｏを通して、たとえば吸水量や薄葉紙内の移動距離がわかりやすいように着色された、着色水が注入できるようになっている（以下、第１容器１６Ａ、第２容器１６Ｂのこのような配置状態を液体注入状態と称する）。
【００１７】
第１容器１６Ａ及び第２容器１６Ｂは、図３に示すように、回転軸１３（第１回転軸１３Ａ、第２回転軸１３Ｂ）の周方向の定位置において、いずれも、上方に開口１６Ａｏ、１６Ｂｏが位置付けられるように配置されている。図３に示す第１容器１６Ａ及び第２容器１６Ｂは、たとえば同径・同大の容器からなり、いずれも注入される液体の分量を量る目盛１７が付されている。これにより、第１容器１６Ａ及び第２容器１６Ｂには、同量の液体を精度よく注入することができるようになっている。なお、第１容器１６Ａ及び第２容器１６Ｂには、必ずしも上述した目盛１７を付す必要はなく、たとえば、図３に示すように、第１メスシリンダ４０Ａ、第２メスシリンダ４０Ｂを用意しておき、第１メスシリンダ４０Ａによって計量した液体を第１容器１６Ａに注入し、第２メスシリンダ４０Ｂによって計量した液体を第２容器１６Ｂに注入するようにしてもよい。また、メスシリンダは１個であってもよい。また、図３において、回転軸１３の両端部のそれぞれには該回転軸１３の回転操作を行うためのつまみ部１８が形成されている。
【００１８】
そして、図２に示すように、回転軸１３（第１回転軸１３Ａ、第２回転軸１３Ｂ）を第１載置台１２Ａ及び第２載置台１２Ｂ側（図中矢印α方向）に回転させることにより、第１容器１６Ａ及び第２容器１６Ｂを、それぞれ、第１載置台１２Ａ及び第２載置台１２Ｂ側に傾倒させ、第１容器１６Ａ内の液体を第１載置台１２Ａ上の第１薄葉紙１１Ａに適下させ、第２容器１６Ｂ内の液体を第２載置台１２Ｂ上の第２薄葉紙１１Ｂに滴下させるようにできる（以下、第１容器１６Ａ、第２容器１６Ｂのこのような状態を液体滴下状態と称する）。
【００１９】
この場合、回転軸１３（第１回転軸１３Ａ、第２回転軸１３Ｂ）と、回転軸１３を軸支する支持部１４Ａ、１４Ｂとの間に、第１容器１６Ａ、第２容器１６Ｂを液体注入状態と液体滴下状態にそれぞれ維持できるように、たとえば、前記各状態における回転軸１３及び支持部１４Ａ、１４Ｂのそれぞれに互いに対向して吸引がなされる磁石を内蔵させている。すなわち、図４（ａ）は、たとえば第２容器１６Ｂを液体注入状態にある場合の側面図で、回転軸１３の第２容器１６Ｂと反対側の側面に一方の極性（たとえばＮ極）を有する磁石２０が埋設され、支持部１４Ｂには、前記磁石２０と対向するようにして他方の磁極（たとえばＳ極）を有する磁石２１が埋設されている。この場合、磁石２０と磁石２１が吸引され、回転軸１３は図示の位置を保持でき、第２容器１６Ｂ（第１容器１６Ａも）はその開口１６Ｂｏ（１６Ａｏも）を上方に向け、液体を注入し易いように配置される。そして、図４（ｂ）は、第２容器１６Ｂが液体滴下状態にある場合の側面図で、回転軸１３が矢印α方向へ約９０°回転することにより、第２容器１６Ｂ（第１容器１６Ａも）がα方向へ傾倒するようになっている。この状態において、支持部１４Ｂには、回転軸１３に埋設された前記磁石２０と対向する位置に他方の磁極（たとえばＳ極）を有する磁石２２が埋設されている。この場合、磁石２０と磁石２２が吸引され、回転軸１３は図示の位置を保持でき、傾倒された第２容器１６Ｂ（第１容器１６Ａも）内の液体は第２載置台１２Ｂ（および第１載置台１２Ａ）側へ滴下されるようになる。また、図４（ａ）及び図４（ｂ）では、磁石２１を支持部１４Ｂに埋設しているが、これに限定されることはなく、たとえば載置台１２の底部に備えてもよい。
【００２０】
また、図４に示した場合に限定されることはなく、たとえば、図１２に示すように、第２容器１６Ｂを液体滴下状態（図１２（ｂ））に付勢移行させるように、液体注入状態（図１２（ａ））において、回転軸１３の第２容器１６Ｂと反対側の側面に一方の極性（たとえばＮ極）を有する磁石２０’が埋設され、支持部１４Ｂには、前記磁石２０’と対向するようにして同の磁極（Ｎ極）を有する磁石２１’が埋設されている。この場合、磁石２０’と磁石２１’が反発され、回転軸１３は図中矢印βの回転方向に付勢されるようになる。このため、操作者は、第２容器１６Ｂを持ったままにして、第２容器１６Ｂを定位置に維持させるようにする。そして、第２容器１６Ｂを液体滴下状態にする場合も、第２容器１６Ｂを持ったままにして、回転軸１３の付勢力に抗するようにして該第２容器１６Ｂを傾けるようにする。このため、操作者は、第２容器１６Ｂを意向通りの慎重な傾きを実行でき、急激な傾きによる意図しない液体の滴下の誤動作を回避できるようになる。
【００２１】
なお、第１容器１６Ａおよび第２容器１６Ｂを液体滴下状態にする場合、第１容器１６Ａおよび第２容器１６Ｂの急激な傾倒によって、第１容器１６Ａおよび第２容器１６Ｂの液体が飛び出すことを回避させるため、図５に示すように、たとえば第１容器１６Ａの場合で示すと、第１容器１６Ａの開口１６Ａｏに、該開口１６Ａｏを横断するように帯状部材２３を貼付させるようにしてもよい。帯状部材２３を貼付させることにより、液体の大量流出を抑制でき、適量の液体を滴下させることができるようになる。開口１６Ａｏ上部の幅と帯状部材２３の幅と開口１６Ａｏ下部の幅の割合は、７：７：４ないし７：６：５が好ましい。
【００２２】
このように構成した薄葉紙吸収性試験器具１０は、図２に示すように、回転軸１３の操作によって、第１容器１６Ａおよび第２容器１６Ｂを同時に傾倒させ、第１容器１６Ａおよび第２容器１６Ｂ内の同量の着色水を、それぞれ、第１載置台１２Ａ上の第１薄葉紙１１Ａおよび第２載置台１２Ｂ上の第２薄葉紙１１Ｂに滴下できるようになっている。すなわち、第１薄葉紙１１Ａおよび第２薄葉紙１１Ｂには、条件を同じにして着色水が滴下されるようになっている。そして、第１載置台１２Ａ及び第２載置台１２Ｂは同じ角度θの傾斜角を有していることから、第１薄葉紙１１Ａの吸収性および第２薄葉紙１１Ｂの吸収性は、滴下された液体の浸み出しの下端辺側の長さとして表れるようになっている。
【００２３】
図２において、第２薄葉紙１１Ｂの場合、着色水３０の浸み出しは、第２薄葉紙１１Ｂの下端辺を超えてなされ、さらに、第２載置台１２Ｂの第２側壁１２Ｂｄで堰き止められて溜まるようになっている。この場合、第２薄葉紙１１Ｂは、その上端辺においてたとえばクリップ２５Ｂを用い、下端辺において和紙を基材とする粘着テープ２６Ｂを用いて第２載置台１２Ｂに取付けられている。同様に第１薄葉紙１１Ａも、その上端辺においてたとえばクリップ２５Ａを用い、下端辺において和紙を基材とする粘着テープ２６Ａを用いて第１載置台１２Ａに取付けられている。このようにすることにより、たとえば第２薄葉紙１１Ｂのように、液体の第２薄葉紙１１Ｂの下端辺を超えてなされる浸み出しを第２載置台１２Ｂの第２側壁１２Ｂｄ側へ導き易くしている。なお、粘着テープ２６Ａ、２６Ｂは、必ずしも和紙を基材とすることなく、また、テープに限らず、他の粘着部材あるいは糊であってもよいことはいうまでもない。これにより、第１薄葉紙１１Ａ、第２薄葉紙１１Ｂが、それぞれ、下端辺において、第１載置台１２Ａ、第２載置台１２ｂに密着されるようになる。一方、第１薄葉紙１１Ａの場合、着色水３０の浸み出しは、第１薄葉紙１１Ａの下端辺に至ることなく、第１薄葉紙１１Ａのほぼ中央部で止まっている。これにより、第１薄葉紙１１Ａの吸収性が優れ、第２薄葉紙１１Ｂの吸収性が劣っていることが一目瞭然に判別することができるようになる。
【００２４】
図１に示した薄葉紙吸収性試験器具１０は、携帯に便ならしめるように、たとえば、第１載置台１２Ａ、第２載置台１２Ｂを分離でき、第１載置台１２Ａに対して支持部１４Ａを取り外しでき、第２載置台１２Ｂに対して支持部１４Ｂを取り外しでき、支持部１４Ａ、１４Ｂに対して回転軸１３を取り外しできるようにしてもよいことはいうまでもない。
図１４は、たとえば第２載置台１２Ｂと支持部１４Ｂの着脱構造の一例を示した斜視図である。図１４に示すように、支持部１４Ｂには回転軸１３を載置できるように半円弧状の切欠き１４Ｐおよび切欠き１４Ｐの底部から下方に伸長する細幅の切欠き１４Ｑが形成されている。また、第２載置台の支持部１４Ｂが取り付けられる側面１２Ｂｓの部分には軸体５０が植設され、この軸体５０の先端には頭部５０Ａが形成されている。軸体５０の直径は切欠き１４Ｑの幅より若干小さく、頭部５０Ａの直径は切欠き１４Ｑの幅より若干大きく形成されている。軸体５０は、支持部１４Ｂの切欠き１４Ｐを通して切欠き１４Ｑ内に挿入されることにより、第２載置台１２Ｂと支持部１４Ｂとの固定が図られ、支持部１４Ｂは、切欠き１４Ｑの長手方向へ移動させる場合を除いて、取外すことができないようになっている。
なお、回転軸１３は、支持部１４Ｂの半円弧状の切欠き１４Ｐに載置させるのみの構成とするだけで、支持部１４Ｂから容易に取り外せる構成とすることができる。
【００２５】
なお、以下の説明において、必要な場合、第１載置台１２Ａ及び第２載置台１２Ｂを総称していう場合には載置台１２と称し、第１回転軸１３Ａ及び第２回転軸１３Ｂを総称していう場合には回転軸１３と称し、第１容器１６Ａ及び第２容器１６Ｂを総称していう場合には容器１６と称する。
【００２６】
（実施形態２）
実施形態１の場合、図６（ａ）に示すように、液体滴下状態において、容器１６は載置台１２との間に間隔を有するようになっているとともに、液体は薄葉紙１１の上端辺から下端辺側の近傍の個所（図中Ａで示す）に滴下されるようにしたものである。
しかし、これに限定されることはなく、図６（ｂ）に示すように、液体滴下状態において、容器１６は載置台１２と接触するようになっているとともに、液体は薄葉紙１１の上端辺に滴下されるようにしてもよい。
【００２７】
（実施形態３）
実施形態１の場合、載置台１２は２個並設させて構成したものであるが、この数に限定されることはなく、１個、３個、４個、またはそれ以上であってもよいことはいうまでもない。
【００２８】
図８ないし図１１は、液体として水あるいは油を５ｍＬ用いた場合、それらを薄葉紙１１の上端辺から滴下した場合（図６（ａ）の場合）あるいは上端辺の下端辺側の近傍に滴下させた場合（図６（ｂ）の場合）において、各種の薄葉紙１１の吸収性の相違が明確に観測できるようにする場合に、載置台１２の水平面に対する角度θの設定範囲を知るための実験グラフである。ここで、５ｍＬとしたのは、たとえば両手を洗浄後に薄葉紙で水分を拭き取る場合に、両手に残る平均水分量が５ｍＬであることを基にしたものである。しかし、この量の値に限定されないことはもちろんである。
【００２９】
なお、薄葉紙１１としてはたとえば４種類を用い、それらを並列させて載置するための載置台１２を４つ隣接させた構成のもの（図１に示す薄葉紙吸収性試験器具において、さらに第３載置台（第３容器も含む）、第４載置台（第４容器も含む）を並設させたもの）を用いた。
【００３０】
そして、図７に示すように、載置台１２の上端辺の近傍において、その部分を支持する支持体２８を設けるとともに、載置台１２の水平面に対する角度θを可変できるように該支持体２８に載置台１２への取付け部を複数設けるように構成した。該取付けはたとえばボルト２８Ａの螺合で行い、支持体２８の該取付け部は前記ボルト２８Ａが挿入し得る複数の孔２８Ｂによって構成されている。
【００３１】
図８は、液体の滴下を各薄葉紙１１の上端辺の下端辺側の近傍においてなされるようにした場合であって、液体として水を用いる場合に、種々の薄葉紙１１における載置台１２の傾斜角度を９°以上７０°以下の範囲に設定することによって、各薄葉紙１１における液体吸収度合の相違を容易な比較でもって確認できることを示すグラフである。図８に示すように、横軸に載置台の傾斜角度θを示し、縦軸に載置台１２の下端部に溜まった液体の量（ｍＬ）を示している。この場合、図２に示すように載置台１２の下端部に溜まった液体をスポイト（図中Ｓで示す）で抽出（回収）し、目盛１７が付された容器１６で計測することによって、該液体の量を正確に計測することができる。図８に示すグラフ中、特性Ａはワイパーを、特性Ｂはクッキングペーパーを、特性Ｃはバージンパルプハンドタオルを、特性Ｄは回収紙ハンドタオルを示している。ここで、ワイパーは網物状の薄葉紙、クッキングペーパーは深々とした厚さを有し空間が多い薄葉紙、ハンドタオルは微細繊維をたたき上げて形成され隙間が比較的少ない薄葉紙でクッキングペーパーとは同じ素材となっている。同グラフから明らかとなるように、載置台１２の傾斜角度が９°以上７０°以下の範囲において、各薄葉紙１１における液体吸収度合の相違を容易な比較でもって確認することができる。
【００３２】
図９は、液体の滴下を各薄葉紙１１の上端辺の下端辺側の近傍においてなされるようにした場合であって、液体として油を用いる場合に、種々の薄葉紙１１における載置台１２の傾斜角度を５°以上７０°以下の範囲に設定することによって、各薄葉紙１１における液体吸収度合の相違を容易な比較でもって確認できることを示すグラフである。図９に示すように、特性Ａ、Ｂ、Ｃ、Ｄの各薄葉紙１１は図８の場合と同様となっている。図９のグラフから明らかとなるように、載置台１２の傾斜角度が５°以上７０°以下の範囲において、各薄葉紙１１における液体吸収度合の相違を容易な比較でもって確認することができる。
【００３３】
図１０は、液体の滴下を各薄葉紙１１の上端辺においてなされるようにした場合であって、液体として水を用いる場合に、種々の薄葉紙１１における載置台１２の傾斜角度を１°以上８５°以下の範囲に設定することによって、各薄葉紙１１における液体吸収度合の相違を容易な比較でもって確認できることを示すグラフである。図１０に示すように、特性Ａ、Ｂ、Ｃ、Ｄの各薄葉紙は図８の場合と同様となっている。図１０のグラフから明らかとなるように、載置台１２の傾斜角度が０°以上８５°以下の範囲において、各薄葉紙１１における液体吸収度合の相違を容易な比較でもって確認することができる。
【００３４】
図１１は、液体の滴下を各薄葉紙１１の上端辺においてなされるようにした場合であって、液体として油を用いる場合に、種々の薄葉紙１１における載置台１２の傾斜角度を０°以上８５°以下の範囲に設定することによって、各薄葉紙１１における液体吸収度合の相違を容易な比較でもって確認できることを示すグラフである。図１１に示すように、特性Ａ、Ｂ、Ｃ、Ｄの各薄葉紙は図８の場合と同様となっている。図１１のグラフから明らかとなるように、載置台１２の傾斜角度が９°以上８５°以下の範囲において、各薄葉紙１１における液体吸収度合の相違を容易な比較でもって確認することができる。
【００３５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３６】
１０                  薄葉紙吸収性試験器具
１１Ａ                第１薄葉紙
１１Ｂ                第２薄葉紙
１２                  載置台
１２Ａ                第１載置台
１２Ｂ                第２載置台
１３                  回転軸
１３Ａ                第１回転軸
１３Ｂ                第２回転軸
１４Ａ                支持部
１４Ｂ                支持部
１４Ｐ                切欠き（半円弧状の）
１４Ｑ                切欠き（細幅の）
１６                  容器
１６Ａ                第１容器
１６Ａｏ              開口
１６Ｂ                第２容器
１６Ｂｏ              開口
１７                  目盛
１８                  つまみ部
２０ないし２２        磁石
２５Ａ、２５Ｂ        クリップ
２６Ａ、２６Ｂ        粘着テープ
２８                  支持体
３０                  着色水
４０Ａ、４０Ｂ        メスシリンダ
５０                  軸体
５０Ａ                頭部
【図１】
2015155800.tif 000003
【図２】
2015155800.tif 000004
【図３】
2015155800.tif 000005
【図４】
2015155800.tif 000006
【図５】
2015155800.tif 000007
【図６】
2015155800.tif 000008
【図７】
2015155800.tif 000009
【図８】
2015155800.tif 000010
【図９】
2015155800.tif 000011
【図１０】
2015155800.tif 000012
【図１１】
2015155800.tif 000013
【図１２】
2015155800.tif 000014
【図１３】
2015155800.tif 000015
【図１４】
2015155800.tif 000016